(57)【要約】      （修正有） 【課題】鉛に代えてステンレス製又は鉄製重錘体を使用した重錘体コードを提供する。【解決手段】重錘体コードは、長尺状可撓性材料３と、それを被覆する編組体とからなる。長尺状可撓性材料３は、長手方向に直列に配置されてなる小室１群を備えてなる包装体４と、包装体４の各小室１内に収納されてなるステンレス製又は鉄製重錘体２とからなる。編組体は、合成繊維製ストランド５が編組されてなるものである。長尺状可撓性材料３は、二枚のテープ状不織布を、小室群１となる箇所にステンレス製又は鉄製重錘体２を挟んで重合し、小室群１となる箇所以外の箇所に、熱及び圧力を付加して、不織布を構成する熱可塑性繊維を溶融又は軟化させ、その箇所を融着することによって得られる。【選択図】図３
0003123822.tif 000002
【実用新案登録請求の範囲】
【請求項１】
長手方向に直列に配置されてなる小室群を備えてなる包装体と、該包装体の各小室内に収納されてなるステンレス製又は鉄製重錘体とからなる長尺状可撓性材料を被覆するように、合成繊維製ストランドが編組されてなることを特徴とする重錘体コード。
【請求項２】
包装体が、織物，編物，不織布，紙及びフィルムからなる群から選ばれたテープ状素材で形成されている請求項１記載の重錘体コード。
【請求項３】
テープ状素材が積層又は二つ折りによって重合されていると共に、小室群以外の箇所が融着又は接着されてなる請求項２記載の重錘体コード。
【請求項４】
請求項１乃至３記載の重錘体コードを、ネット本体の端縁に縫着してなるネット。
【請求項５】
防鳥ネット又は防獣ネットである請求項４記載のネット。
【考案の詳細な説明】
【技術分野】
【０００１】
本考案は、カラス避けネットやハト避けネット等の端縁に縫着し錘として使用するための重錘体コードに関し、特に重錘体が包装体に形成された小室内に収納されていると共に、この包装体が合成繊維製ストランドで編組されてなる編組体で被覆されていることを特徴とする重錘体コードに関するものである。
【背景技術】
【０００２】
従来より、重錘体コードに使用する重錘体としては、糸入り鉛線が伝統的に使用されていた。糸入り鉛線は、糸表面に多数個の鉛をかしめて取り付けたものであり、重錘体として多用されている。たとえば、合成繊維製ストランドで組紐を編組する際に、その中心に糸入り鉛線を配置して、重錘体コードとして用いられている。
【０００３】
しかるに、近年、鉛は環境に悪影響を及ぼすとして、忌避される傾向にある。糸入り鉛線に使用されている固体の鉛が、環境に悪影響を及ぼすとの根拠は全くなく、単なる風評であるとの意見もある。しかしながら、単なる風評であったとしても、鉛に代えて他の金属で重錘体コードを得ようとする試みは、無意味なことではない。
【０００４】
本考案者も、鉛に代えて、比較的高比重のステンレスを用いて、糸入りステンレス線を得ることを試みた（特許文献１）。しかしながら、ステンレスは鉛に比べて硬いため、それをかしめて糸に取り付けることが困難であった。
【０００５】
このため、特許文献２に記載されているように、筒状の編織物やフィルムの中に、多数個の鉄製又は鋼製重錘体を直列に配置することが提案されている。しかしながら、筒状の編織物やフィルムの中に多数個の重錘体を収納しただけでは、重錘体が移動する。そこで、特許文献２記載の技術では、重錘体の表面をテクスチャー加工して粗面とし、筒状の編織物やフィルムと固着係合させて、移動を阻止している（特許文献２、請求項１）。また、フィルムとして熱収縮性フィルムを使用して、重錘体と固着接触させて係合することも記載されている（特許文献２、請求項１５）。
【０００６】
【特許文献１】特開２００２−２３８７３６公報
【特許文献２】特表２００４−５１０４１８公報
【考案の開示】
【考案が解決しようとする課題】
【０００７】
しかしながら、重錘体を一個づつ、テクスチャー加工することは、合理的ではない。また、熱収縮性フィルムは、編織物に比べて、石や釘等と接触して裂けやすい。そこで、本考案者は、重錘体に何らの加工も施さずに移動を阻止しうると共に、石や釘等と接触しても裂けにくい重錘体コードを得ることを課題とし、既に実用新案登録出願を行っている（実願２００６−２６１６。以下、「先願考案」という。）。
【０００８】
先願考案は、低融点成分と高融点成分とからなる複合繊維を含有するテープ状不織布を用い、このテープ状不織布に小室を設けて、小室内に重錘体を収納した重錘体コードに関するものである。この先願考案は、特定の複合繊維を含有するテープ状不織布を使用しているので、小室を設ける熱融着加工を行っても、その熱融着部分において、繊維形態を持つ高融点成分が残存しており、石や釘等と接触しても裂けにくいというものである。
【０００９】
その後、本考案者が更に検討を進めていた結果、先願考案に係る重錘体コードを合成繊維製製品で被覆すれば、石や釘等と接触しても、より裂けにくくなることに思い至った。また、合成繊維製品で被覆すれば、先願考案のように特定の複合繊維を含有する不織布を用いる必要がないことも判明した。本考案は、このような知見に基づいてなされたものである。
【課題を解決するための手段】
【００１０】
すなわち、本考案は、長手方向に直列に配置されてなる小室群１，１，・・・を備えてなる包装体４と、該包装体４の各小室１内に収納されてなるステンレス製又は鉄製重錘体２とからなる長尺状可撓性材料３を被覆するように、合成繊維製ストランド５が編組されてなることを特徴とする重錘体コードに関するものである。
【００１１】
本考案で使用する包装体４の素材は、先願考案のように、特に限定されるものではない。しかしながら、小室１を形成でき、しかもその小室１にステンレス製又は鉄製重錘体２を収納しても、可撓性を喪失しないものでなければならない。したがって、好ましくは、織物，編物，不織布，紙及びフィルムからなる群から選ばれた素材が用いられる。
【００１２】
この包装体４は、重錘体コードの芯として挿入される構成材料であるから、長尺状となっている。そして、この包装体４は、長手方向に直列に配置されてなる小室群１，１，・・・を備えている。各小室１内には、ステンレス製又は鉄製重錘体２が収納されている。ステンレス製又は鉄製重錘体２を使用するのは、重錘体として鉛を使用すると、環境に悪影響を及ぼすと言われているからである。そして、ステンレスや鉄は高比重であり、重錘体として使用するのに適しているからである。ステンレス製又は鉄製重錘体２の形状は任意であるが、一般的に平板体又は直方体となっている。なお、鉄製重錘体２はステンレス製重錘体２に比べて、錆びやすいので、その表面に防錆メッキを施しておくのが好ましい。
【００１３】
包装体４の各小室１内にステンレス製又は鉄製重錘体２が収納されて、長尺状可撓性材料３となる。長尺状とした理由は、包装体４を長尺状にしたのと同様の理由で、これが重錘体コードの芯として挿入されるためである。また、可撓性にしたのは、重錘体コードがネット等の柔軟性シート本体の端縁に縫着されて用いられるものであるから、端縁の屈曲や折り曲げに対応できるようにするためである。この可撓性は、ステンレス製又は鉄製重錘体２が収納された区域、すなわち、小室１は剛直になっているので、小室１以外の区域の柔らかさによって、実現される。
【００１４】
長尺状可撓性材料３を製造する方法は、任意の方法でよい。具体的には、以下のような製造方法を挙げることができる。
（ｉ）先願考案に係る明細書（実願２００６−２６１６に係る明細書）に記載の製造方法で得ることができる。まず、低融点成分と高融点成分とからなる複合繊維を含有するテープ状不織布を準備する。二枚のテープ状不織布を、小室群１，１，１・・・となる箇所にステンレス製又は鉄製重錘体２を挟んで重合し、小室群１，１，１・・・となる箇所以外の箇所に、熱及び圧力を付加して、不織布中の低融点成分を溶融又は軟化させ、その箇所を融着する。または、一枚の幅広のテープ状不織布を、小室群１，１，１・・・となる箇所にステンレス製又は鉄製重錘体２を挟んで、長手方向に沿って二つ折りして重合し、小室群１，１，１・・・となる箇所以外の箇所に、熱及び圧力を付加して、不織布中の低融点成分を溶融又は軟化させ、その箇所を融着する。
【００１５】
（ii）ポリプロピレン系繊維等の熱可塑性繊維を含有するテープ状不織布又はテープ状編織物を準備する。そして、上記（ｉ）に記載した方法と同一の方法で、熱可塑性繊維を溶融又は軟化させて、融着する。すなわち、この方法は、複合繊維の代わりにポリプロピレン系樹脂等の熱可塑性樹脂単独よりなる繊維を用いたものである。この方法で得られた長尺状可撓性材料３は、融着部分において繊維形態を持つものが残存せず、融着部分が石や釘等と接触したとき裂けやすくなっている。しかし、この長尺状可撓性材料３は、合成繊維製ストランド５の編組体で被覆されているので、この欠点を解消しうる。
【００１６】
（iii ）テープ状熱可塑性樹脂製フィルムを準備し、上記（ｉ）に記載した方法と同一の方法で、熱可塑性樹脂製フィルムを溶融又は軟化させて、融着する。この方法で得られた長尺状可撓性材料３も、融着部分が石や釘等と接触したとき裂けやすくなっているが、本考案においては、合成繊維製ストランド５の編組体で被覆されているので、この欠点を解消しうる。
【００１７】
（iv）テープ状の織物，編物，不織布，紙又はフィルムの片面に、感熱性接着剤又は感圧性接着剤が塗布されたものを準備する。そして、感熱性接着剤又は感圧性接着剤が塗布された面を、内側として、上記（ｉ）に記載した方法と同一の方法で重合する。感熱性接着剤又は感圧性接着剤の接着作用によって、小室群１，１，１・・・となる箇所以外の箇所を接着する。この方法で得られた長尺状可撓性材料３は、長期に亙る使用により、接着剤が劣化して重合部が剥がれて、小室１が破壊される可能性もある。しかし、この長尺状可撓性材料３は、合成繊維製ストランド５の編組体で緊密に被覆されているので、小室１が破壊されても、ステンレス製又は鉄製重錘体２の移動を概ね阻止しうる。
【００１８】
（ｖ）熱収縮性のテープ状の織物，編物，不織布，紙又はフィルムを用いて、筒状物を作成する。筒状物を作成する際に、所定間隔を置いて、ステンレス製又は鉄製重錘体２を直列に配置する。そして、筒状物を熱収縮させると、ステンレス製又は鉄製重錘体２と織物等が密着する。一方、ステンレス製又は鉄製重錘体２の存在しない所定間隔の部位は収縮して、くびれた状態となる。このようにして、ステンレス製又は鉄製重錘体２と織物等が密着し、ステンレス製又は鉄製重錘体２が収納された小室１と、くびれた部位とを持つ長尺状可撓性材料３を得る。
【００１９】
以上の種々の方法で得られた長尺状可撓性材料３を芯として供給しながら、合成繊維製ストランド５を用い、編組機械で編組する。たとえば、長尺状可撓性材料３が図１に示したテープ状のものである場合、図３に示したように、ステンレス製又は鉄製重錘体２が存在しない幅の箇所が折り畳まれながら芯となり、合成繊維製ストランド５で編組されてゆくのである。そうすると、長尺状可撓性材料３を被覆した編組体が得られる。すなわち、長尺状可撓性材料３を被覆するように、合成繊維製ストランド５が編組されてなる重錘体コードが得られるのである。合成繊維製ストランド５としては、合成繊維製マルチフィラメント糸条，合成繊維製モノフィラメント糸条，合成繊維製紡績糸条等が用いられる。また、編組組織は任意でよいが、長尺状可撓性材料３が外部から見えにくい密な編組組織を採用するのが好ましい。外観上、芯となっている長尺状可撓性材料３が見えると、商品価値が低下するからである。
【００２０】
本考案に係る重錘体コードは、カラス避けネット、ハト避けネット、防獣ネット、漁網用ネット、防球ネット等のネット本体の端縁に、錘として縫着される。特に、カラス避けネットやハト避けネット等の防鳥ネットの端縁に、本考案に係る重錘体コードを縫着するのが好ましい。また、鼠、犬、猫等の進入を防止するための防獣ネットの端縁に、本考案に係る重錘体コードを縫着して使用するのも好ましい。
【考案の効果】
【００２１】
本考案に係る重錘体コードは、その重錘体（芯）として糸入り鉛線のように、鉛を使用せずに、ステンレス製又は鉄製重錘体を使用したので、環境に悪影響を及ぼすとの風評が立つ恐れがないという効果を奏する。また、このステンレス製又は鉄製重錘体は、長手方向に直列に配置されてなる小室群を備えてなる包装体の各小室内に収納されており、しかも、この包装体は更に合成繊維製ストランドを編組された編組体で被覆されている。したがって、重錘体コードの使用時において、ステンレス製又は鉄製重錘体が外部へ飛び出すことを防止しうるという効果を奏する。さらに、本考案に係る重錘体コードは、合成繊維製ストランドよりなる編組体で覆われているので、石や釘等と接触しても、重錘体コードが簡単に裂けたり破れたりするのを防止しうるという効果も奏する。
【図面の簡単な説明】
【００２２】
【図１】本考案に用いる長尺状可撓性材料の一例を示した平面図である。
【図２】図１の長尺状可撓性材料のＡ−Ａ線断面図である。
【図３】図１の長尺状可撓性材料を被覆するように、合成繊維製ストランドが編組されてなる状態を示した図である。
【符号の説明】
【００２３】
１      小室
２      ステンレス製又は鉄製重錘体
３      長尺状可撓性材料
４      包装体
５      合成繊維製ストランド
【図１】
0003123822.tif 000003
【図２】
0003123822.tif 000004
【図３】
0003123822.tif 000005